【事件の表示】
　特願２００２−　４３１０５「データ記録媒体、データ記録方法および装置、データ再生方法および装置、データ送信方法およびデータ受信方法」拒絶査定不服審判事件〔平成１５年　８月２９日出願公開、特開２００３−２４３９９３〕について、次のとおり審決する。
【結　論】
　本件審判の請求は、成り立たない。
【理　由】
第１　手続の経緯
　
　本願は、平成１４年２月２０日に出願したものであって、平成１８年５月２４日付けの拒絶理由通知に対する応答期間内の同年７月３１日付けで手続補正がなされたが、平成１８年８月２２日付けで拒絶査定がなされ、これに対し、平成１８年９月２８日付けで拒絶査定不服審判が請求されるとともに、同年１０月３０日付で手続補正がなされたものである。（なお、本件は、前置報告書を送付し、請求人からの回答を得たものである。）
　
第２　平成１８年１０月３０日付けの手続補正についての補正却下の決定
　
［補正却下の決定の結論］
　平成１８年１０月３０日付けの手続補正を却下する。
　
［理由］
１．本件補正
　平成１８年１０月３０日付け手続補正（以下「本件補正」という。）は、明細書についてするもので、そのうちの特許請求の範囲については、補正前に、
　
「【請求項１】　所定のデータがエラー検出符号化されて記録されたデータ記録媒体において、
　複数種類の上記エラー検出符号化の生成多項式の中で付加情報にしたがって生成多項式が選択され、選択された生成多項式によって符号化されたデータが記録され、
　上記付加情報がオリジナルかコピーかの判別情報、暗号鍵または暗号鍵の一部の情報、またはデータ記録媒体の識別情報であるデータ記録媒体。
　【請求項２】　所定のデータがエラー訂正符号化されて記録されたデータ記録媒体において、
　複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、
　上記付加情報がオリジナルかコピーかの判別情報、暗号鍵または暗号鍵の一部の情報、またはデータ記録媒体の識別情報であるデータ記録媒体。
　【請求項３】　請求項１において、
　上記エラー検出符号化がＣＲＣであるデータ記録媒体。
　【請求項４】　請求項３において、
　複数種類の上記生成多項式ｇ（ｘ）は、生成されるパリティが１６ビットの場合では、ｇ１（ｘ）＝ｘ１６＋ｘ１２＋ｘ５＋１、ｇ２（ｘ）＝ｘ１６＋ｘ１５＋ｘ２＋１およびｇ３（ｘ）＝ｘ１６＋ｘ２＋ｘ＋１の何れかであり、
　上記パリティが３２ビットの場合には、上記ｇ１（ｘ）、ｇ２（ｘ）およびｇ３（ｘ）の内の２つの組み合わせの何れかであるデータ記録媒体。
　【請求項５】　請求項２において、
　上記エラー訂正符号化がリードソロモン符号であるデータ記録媒体。
　【請求項６】　請求項５において、
　複数種類の上記原始多項式ｆ（ｘ）は、生成されるパリティが８ビットの場合では、ｆ１（ｘ）＝ｘ８＋ｘ４＋ｘ３＋ｘ２＋１とｆ２（ｘ）＝ｘ８＋ｘ６＋ｘ５＋ｘ４＋１であるデータ記録媒体。
　【請求項７】　請求項２において、
　上記エラー訂正符号化がＢＣＨ符号であるデータ記録媒体。
　【請求項８】　請求項１または２において、
　上記所定のデータは、アドレス情報または時間情報であるデータ記録媒体。
　【請求項９】　所定のデータをエラー検出符号化して記録してデータ記録媒体に記録するデータ記録方法において、
　上記エラー検出符号化の生成多項式を複数種類有し、
　複数種類の上記エラー検出符号化の生成多項式の中で付加情報にしたがって生成多項式が選択され、選択された生成多項式によって符号化されたデータを記録し、
　上記付加情報がオリジナルかコピーかの判別情報、暗号鍵または暗号鍵の一部の情報、またはデータ記録媒体の識別情報であるデータ記録方法。
　【請求項１０】　所定のデータをエラー訂正符号化して記録してデータ記録媒体に記録するデータ記録方法において、
　上記エラー訂正符号化の原始多項式および／または生成多項式を複数種類有し、
　複数種類の上記エラー訂正符号化の原始多項式および／または生成多項式の中で付加情報にしたがって原始多項式および／または生成多項式が選択され、選択された原始多項式／または生成多項式によって符号化されたデータを記録し、
　上記付加情報がオリジナルかコピーかの判別情報、暗号鍵または暗号鍵の一部の情報、またはデータ記録媒体の識別情報であるデータ記録方法。
　【請求項１１】　請求項９において、
　上記複数種類のエラー検出符号化の生成多項式の係数のみを有し、上記係数を切り換えるデータ記録方法。
　【請求項１２】　請求項９において、
　上記エラー検出符号化がＣＲＣであるデータ記録方法。
　【請求項１３】　請求項１２において、
　複数種類の上記生成多項式ｇ（ｘ）は、生成されるパリティが１６ビットの場合では、ｇ１（ｘ）＝ｘ１６＋ｘ１２＋ｘ５＋１、ｇ２（ｘ）＝ｘ１６＋ｘ１５＋ｘ２＋１およびｇ３（ｘ）＝ｘ１６＋ｘ２＋ｘ＋１の何れかであり、
　上記パリティが３２ビットの場合には、上記ｇ１（ｘ）、ｇ２（ｘ）およびｇ３（ｘ）の内の２つの組み合わせの何れかであるデータ記録方法。
　【請求項１４】　請求項１０において、
　上記複数種類のエラー訂正符号化の原始多項式および／または生成多項式の係数のみを有し、上記係数を切り換えるデータ記録方法。
　【請求項１５】　請求項１０において、
　上記エラー訂正符号化がリードソロモン符号であるデータ記録方法。
　【請求項１６】　請求項１５において、
　複数種類の上記原始多項式ｆ（ｘ）は、生成されるパリティが８ビットの場合では、ｆ１（ｘ）＝ｘ８＋ｘ４＋ｘ３＋ｘ２＋１とｆ２（ｘ）＝ｘ８＋ｘ６＋ｘ５＋ｘ４＋１であるデータ記録方法。
　【請求項１７】　請求項１０において、
　上記エラー訂正符号化がＢＣＨ符号であるデータ記録方法。
　【請求項１８】　請求項９または１０において、
　上記所定のデータは、アドレス情報または時間情報であるデータ記録方法。
　【請求項１９】　所定のデータをエラー検出符号化して記録してデータ記録媒体に記録するデータ記録装置において、
　上記エラー検出符号化の生成多項式を複数種類有し、
　複数種類の上記エラー検出符号化の生成多項式の中で付加情報にしたがって生成多項式が選択され、選択された生成多項式によって符号化されたデータを記録し、
　上記付加情報がオリジナルかコピーかの判別情報、暗号鍵または暗号鍵の一部の情報、またはデータ記録媒体の識別情報であるデータ記録装置。
　【請求項２０】　所定のデータをエラー訂正符号化して記録してデータ記録媒体に記録するデータ記録方法において、
　上記エラー訂正符号化の原始多項式および／または生成多項式を複数種類有し、
　複数種類の上記エラー訂正符号化の原始多項式および／または生成多項式の中で付加情報にしたがって原始多項式および／または生成多項式が選択され、選択された原始多項式／または生成多項式によって符号化されたデータを記録し、
　上記付加情報がオリジナルかコピーかの判別情報、暗号鍵または暗号鍵の一部の情報、またはデータ記録媒体の識別情報であるデータ記録装置。
　【請求項２１】　所定のデータがエラー検出符号化されて記録され、複数種類の上記エラー検出符号化の生成多項式の中で付加情報にしたがって生成多項式が選択され、選択された生成多項式によって符号化されたデータが記録され、上記付加情報がオリジナルかコピーかの判別情報、暗号鍵または暗号鍵の一部の情報、またはデータ記録媒体の識別情報であるデータ記録媒体を再生するデータ再生方法において、
　再生された上記所定のデータを上記複数種類の上記エラー検出符号化の内の１つによって復号化し、復号結果に基づいて、上記付加情報を再生するデータ再生方法。
　【請求項２２】　所定のデータがエラー検出符号化されて記録され、複数種類の上記エラー検出符号化の生成多項式の中で付加情報にしたがって生成多項式が選択され、選択された生成多項式によって符号化されたデータが記録され、上記付加情報がオリジナルかコピーかの判別情報、暗号鍵または暗号鍵の一部の情報、またはデータ記録媒体の識別情報であるデータ記録媒体を再生するデータ再生方法において、
　再生された上記所定のデータを上記複数種類の上記エラー検出符号化によって復号化し、それぞれの復号結果に基づいて、上記付加情報を再生するデータ再生方法。
　【請求項２３】　請求項２１において、
　上記復号結果おけるエラーの有無の情報によって上記付加情報を再生するデータ再生方法。
　【請求項２４】　請求項２１または２２において、
　上記復号結果に基づいてエラーが無いものを選択することによって上記付加情報を再生するデータ再生方法。
　【請求項２５】　請求項２２において、
　上記複数種類の上記エラー検出符号化の何れかが選択されているかによって上記付加情報を再生するデータ再生方法。
　【請求項２６】　請求項２２において、
　上記複数種類の上記エラー検出符号化のそれぞれの復号結果の組合せに基づいて上記付加情報を再生するデータ再生方法。
　【請求項２７】　所定のデータがエラー検出符号化されて記録され、複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、上記付加情報がオリジナルかコピーかの判別情報、暗号鍵または暗号鍵の一部の情報、またはデータ記録媒体の識別情報であるデータ記録媒体を再生するデータ再生方法において、
　再生された上記所定のデータを上記複数種類の上記エラー訂正符号化の内の１つによって復号化し、復号結果に基づいて、上記付加情報を再生するデータ再生方法。
　【請求項２８】　所定のデータがエラー訂正符号化されて記録され、複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、上記付加情報がオリジナルかコピーかの判別情報、暗号鍵または暗号鍵の一部の情報、またはデータ記録媒体の識別情報であるデータ記録媒体を再生するデータ再生方法において、
　再生された上記所定のデータを上記複数種類の上記エラー訂正符号化によって復号化し、それぞれの復号結果に基づいて、上記付加情報を再生するデータ再生方法。
　【請求項２９】　請求項２７において、
　上記復号結果おけるエラーの有無の情報によって上記付加情報を再生するデータ再生方法。
　【請求項３０】　請求項２７または２８において、
　上記復号結果に基づいてエラーが無いものを選択することによって上記付加情報を再生するデータ再生方法。
　【請求項３１】　請求項２８において、
　上記複数種類の上記エラー検出符号化の何れが選択されているかによって上記付加情報を再生するデータ再生方法。
　【請求項３２】　請求項２８において、
　上記複数種類の上記エラー検出符号化のそれぞれの復号結果の組合せに基づいて上記付加情報を再生するデータ再生方法。
　【請求項３３】　所定のデータがエラー検出符号化されて記録され、複数種類の上記エラー検出符号化の生成多項式の中で付加情報にしたがって生成多項式が選択され、選択された生成多項式によって符号化されたデータが記録され、上記付加情報がオリジナルかコピーかの判別情報、暗号鍵または暗号鍵の一部の情報、またはデータ記録媒体の識別情報であるデータ記録媒体を再生するデータ再生装置において、
　再生された上記所定のデータを上記複数種類の上記エラー検出符号化の内の１つによって復号化し、復号結果に基づいて、上記付加情報を再生するデータ再生装置。
　【請求項３４】　所定のデータがエラー検出符号化されて記録され、複数種類の上記エラー検出符号化の生成多項式の中で付加情報にしたがって生成多項式が選択され、選択された生成多項式によって符号化されたデータが記録され、上記付加情報がオリジナルかコピーかの判別情報、暗号鍵または暗号鍵の一部の情報、またはデータ記録媒体の識別情報であるデータ記録媒体を再生するデータ再生装置において、
　再生された上記所定のデータを上記複数種類の上記エラー検出符号化によって復号化し、それぞれの復号結果に基づいて、上記付加情報を再生するデータ再生装置。
　【請求項３５】　所定のデータがエラー検出符号化されて記録され、複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、上記付加情報がオリジナルかコピーかの判別情報、暗号鍵または暗号鍵の一部の情報、またはデータ記録媒体の識別情報であるデータ記録媒体を再生するデータ再生装置において、
　再生された上記所定のデータを上記複数種類の上記エラー訂正符号化の内の１つによって復号化し、復号結果に基づいて、上記付加情報を再生するデータ再生装置。
　【請求項３６】　所定のデータがエラー訂正符号化されて記録され、複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、上記付加情報がオリジナルかコピーかの判別情報、暗号鍵または暗号鍵の一部の情報、またはデータ記録媒体の識別情報であるデータ記録媒体を再生するデータ再生装置において、
　再生された上記所定のデータを上記複数種類の上記エラー訂正符号化によって復号化し、それぞれの復号結果に基づいて、上記付加情報を再生するデータ再生装置。
　【請求項３７】　所定のデータをエラー検出符号化して送信するデータ送信方法において、
　上記エラー検出符号化の生成多項式を複数種類有し、
　複数種類の上記エラー検出符号化の生成多項式の中で付加情報にしたがって生成多項式が選択され、選択された生成多項式によって符号化されたデータを送信し、
　上記付加情報がオリジナルかコピーかの判別情報、暗号鍵または暗号鍵の一部の情報、またはデータ記録媒体の識別情報であるデータ送信方法。
　【請求項３８】　所定のデータをエラー訂正符号化して送信するデータ送信方法において、
　上記エラー訂正符号化の原始多項式および／または生成多項式を複数種類有し、
　複数種類の上記エラー訂正符号化の原始多項式および／または生成多項式の中で付加情報にしたがって原始多項式および／または生成多項式が選択され、選択された原始多項式／または生成多項式によって符号化されたデータを送信し、
　上記付加情報がオリジナルかコピーかの判別情報、暗号鍵または暗号鍵の一部の情報、またはデータ記録媒体の識別情報であるデータ送信方法。
　【請求項３９】　所定のデータがエラー検出符号化されて送信され、複数種類の上記エラー検出符号化の生成多項式の中で付加情報にしたがって生成多項式が選択され、選択された生成多項式によって符号化されたデータが送信され、上記付加情報がオリジナルかコピーかの判別情報、暗号鍵または暗号鍵の一部の情報、またはデータ記録媒体の識別情報であるデータを受信するデータ受信方法において、
　受信された上記所定のデータを上記複数種類の上記エラー検出符号化の内の１つによって復号化し、復号結果に基づいて、上記付加情報を再生するデータ受信方法。
　【請求項４０】　所定のデータがエラー検出符号化されて送信され、複数種類の上記エラー検出符号化の生成多項式の中で付加情報にしたがって生成多項式が選択され、選択された生成多項式によって符号化されたデータが送信され、上記付加情報がオリジナルかコピーかの判別情報、暗号鍵または暗号鍵の一部の情報、またはデータ記録媒体の識別情報であるデータを受信するデータ受信方法において、
　受信された上記所定のデータを上記複数種類の上記エラー検出符号化によって復号化し、それぞれの復号結果に基づいて、上記付加情報を再生するデータ受信方法。
　【請求項４１】　所定のデータがエラー訂正符号化されて送信され、複数種類の上記エラー訂正符号化の原始多項式および／または生成多項式の中で付加情報にしたがって原始多項式および／または生成多項式が選択され、選択された原始多項式／または生成多項式によって符号化されたデータが送信され、上記付加情報がオリジナルかコピーかの判別情報、暗号鍵または暗号鍵の一部の情報、またはデータ記録媒体の識別情報であるデータを受信するデータ受信方法において、
　受信された上記所定のデータを上記複数種類の上記エラー訂正符号化の内の１つによって復号化し、復号結果に基づいて、上記付加情報を再生するデータ受信方法。
　【請求項４２】　所定のデータがエラー訂正符号化されて送信され、複数種類の上記エラー訂正符号化の原始多項式および／または生成多項式の中で付加情報にしたがって原始多項式および／または生成多項式が選択され、選択された原始多項式／または生成多項式によって符号化されたデータが送信され、上記付加情報がオリジナルかコピーかの判別情報、暗号鍵または暗号鍵の一部の情報、またはデータ記録媒体の識別情報であるデータを受信するデータ受信方法において、
　受信された上記所定のデータを上記複数種類の上記エラー訂正符号化によって復号化し、それぞれの復号結果に基づいて、上記付加情報を再生するデータ受信方法。」
とあったところを、
　　
「【請求項１】　所定のデータがエラー検出符号化されて記録されたデータ記録媒体において、
　複数種類の上記エラー検出符号化の生成多項式の中で付加情報にしたがって生成多項式が選択され、選択された生成多項式によって符号化されたデータが記録され、
　上記付加情報が
暗
り、上記選択された生成多項式に基づいて復号され
　【請求項２】　所定のデータがエラー訂正符号化されて記録されたデータ記録媒体において、
　複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、
　上記付加情報が
暗
り、上記選択され原始多項式および／または生成多項式に基づいて復号され
　【請求項３】　請求項１において、
　上記エラー検出符号化がＣＲＣであるデータ記録媒体。
　【請求項４】　請求項３において、
　複数種類の上記生成多項式ｇ（ｘ）は、生成されるパリティが１６ビットの場合では、ｇ１（ｘ）＝ｘ１６＋ｘ１２＋ｘ５＋１、ｇ２（ｘ）＝ｘ１６＋ｘ１５＋ｘ２＋１およびｇ３（ｘ）＝ｘ１６＋ｘ２＋ｘ＋１の何れかであり、
　上記パリティが３２ビットの場合には、上記ｇ１（ｘ）、ｇ２（ｘ）およびｇ３（ｘ）の内の２つの組み合わせの何れかであるデータ記録媒体。
　【請求項５】　請求項２において、
　上記エラー訂正符号化がリードソロモン符号であるデータ記録媒体。
　【請求項６】　請求項５において、
　複数種類の上記原始多項式ｆ（ｘ）は、生成されるパリティが８ビットの場合では、ｆ１（ｘ）＝ｘ８＋ｘ４＋ｘ３＋ｘ２＋１とｆ２（ｘ）＝ｘ８＋ｘ６＋ｘ５＋ｘ４＋１であるデータ記録媒体。
　【請求項７】　請求項２において、
　上記エラー訂正符号化がＢＣＨ符号であるデータ記録媒体。
　【請求項８】　請求項１または２において、
　上記所定のデータは、アドレス情報または時間情報であるデータ記録媒体。
　【請求項９】　所定のデータをエラー検出符号化して記録してデータ記録媒体に記録するデータ記録方法において、
　上記エラー検出符号化の生成多項式を複数種類有し、
　複数種類の上記エラー検出符号化の生成多項式の中で付加情報にしたがって生成多項式が選択され、選択された生成多項式によって符号化されたデータを記録し、
　上記付加情報が
暗
り、上記選択された生成多項式に基づいて復号され
　【請求項１０】　所定のデータをエラー訂正符号化して記録してデータ記録媒体に記録するデータ記録方法において、
　上記エラー訂正符号化の原始多項式および／または生成多項式を複数種類有し、
　複数種類の上記エラー訂正符号化の原始多項式および／または生成多項式の中で付加情報にしたがって原始多項式および／または生成多項式が選択され、選択された原始多項式／または生成多項式によって符号化されたデータを記録し、
　上記付加情報が
暗
り、上記選択された原始多項式および／または生成多項式に基づいて復号され
　【請求項１１】　請求項９において、
　上記複数種類のエラー検出符号化の生成多項式の係数のみを有し、上記係数を切り換えるデータ記録方法。
　【請求項１２】　請求項９において、
　上記エラー検出符号化がＣＲＣであるデータ記録方法。
　【請求項１３】　請求項１２において、
　複数種類の上記生成多項式ｇ（ｘ）は、生成されるパリティが１６ビットの場合では、ｇ１（ｘ）＝ｘ１６＋ｘ１２＋ｘ５＋１、ｇ２（ｘ）＝ｘ１６＋ｘ１５＋ｘ２＋１およびｇ３（ｘ）＝ｘ１６＋ｘ２＋ｘ＋１の何れかであり、
　上記パリティが３２ビットの場合には、上記ｇ１（ｘ）、ｇ２（ｘ）およびｇ３（ｘ）の内の２つの組み合わせの何れかであるデータ記録方法。
　【請求項１４】　請求項１０において、
　上記複数種類のエラー訂正符号化の原始多項式および／または生成多項式の係数のみを有し、上記係数を切り換えるデータ記録方法。
　【請求項１５】　請求項１０において、
　上記エラー訂正符号化がリードソロモン符号であるデータ記録方法。
　【請求項１６】　請求項１５において、
　複数種類の上記原始多項式ｆ（ｘ）は、生成されるパリティが８ビットの場合では、ｆ１（ｘ）＝ｘ８＋ｘ４＋ｘ３＋ｘ２＋１とｆ２（ｘ）＝ｘ８＋ｘ６＋ｘ５＋ｘ４＋１であるデータ記録方法。
　【請求項１７】　請求項１０において、
　上記エラー訂正符号化がＢＣＨ符号であるデータ記録方法。
　【請求項１８】　請求項９または１０において、
　上記所定のデータは、アドレス情報または時間情報であるデータ記録方法。
　【請求項１９】　所定のデータをエラー検出符号化して記録してデータ記録媒体に記録するデータ記録装置において、
　上記エラー検出符号化の生成多項式を複数種類有し、
　複数種類の上記エラー検出符号化の生成多項式の中で付加情報にしたがって生成多項式が選択され、選択された生成多項式によって符号化されたデータを記録し、
　上記付加情報が
暗
り、上記選択された生成多項式に基づいて復号され
　【請求項２０】　所定のデータをエラー訂正符号化して記録してデータ記録媒体に記録するデータ記録方法において、
　上記エラー訂正符号化の原始多項式および／または生成多項式を複数種類有し、
　複数種類の上記エラー訂正符号化の原始多項式および／または生成多項式の中で付加情報にしたがって原始多項式および／または生成多項式が選択され、選択された原始多項式／または生成多項式によって符号化されたデータを記録し、
　上記付加情報が
暗
り、上記選択された原始多項式／または生成多項式に基づいて復号され
　【請求項２１】　所定のデータがエラー検出符号化されて記録され、複数種類の上記エラー検出符号化の生成多項式の中で付加情報にしたがって生成多項式が選択され、選択された生成多項式によって符号化されたデータが記録され、上記付加情報が
暗
　再生された上記所定のデータを上記複数種類の上記エラー検出符号化の内の１つによって復号化し、復号結果に基づいて、上記付加情報を再生するデータ再生方法。
　【請求項２２】　所定のデータがエラー検出符号化されて記録され、複数種類の上記エラー検出符号化の生成多項式の中で付加情報にしたがって生成多項式が選択され、選択された生成多項式によって符号化されたデータが記録され、上記付加情報が
暗
　再生された上記所定のデータを上記複数種類の上記エラー検出符号化によって復号化し、それぞれの復号結果に基づいて、上記付加情報を再生するデータ再生方法。
　【請求項２３】　請求項２１において、
　上記復号結果おけるエラーの有無の情報によって上記付加情報を再生するデータ再生方法。
　【請求項２４】　請求項２１または２２において、
　上記復号結果に基づいてエラーが無いものを選択することによって上記付加情報を再生するデータ再生方法。
　【請求項２５】　請求項２２において、
　上記複数種類の上記エラー検出符号化の何れかが選択されているかによって上記付加情報を再生するデータ再生方法。
　【請求項２６】　請求項２２において、
　上記複数種類の上記エラー検出符号化のそれぞれの復号結果の組合せに基づいて上記付加情報を再生するデータ再生方法。
　【請求項２７】　所定のデータがエラー検出符号化されて記録され、複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、上記付加情報が
暗
　再生された上記所定のデータを上記複数種類の上記エラー訂正符号化の内の１つによって復号化し、復号結果に基づいて、上記付加情報を再生するデータ再生方法。
　【請求項２８】　所定のデータがエラー訂正符号化されて記録され、複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、上記付加情報が
暗
　再生された上記所定のデータを上記複数種類の上記エラー訂正符号化によって復号化し、それぞれの復号結果に基づいて、上記付加情報を再生するデータ再生方法。
　【請求項２９】　請求項２７において、
　上記復号結果おけるエラーの有無の情報によって上記付加情報を再生するデータ再生方法。
　【請求項３０】　請求項２７または２８において、
　上記復号結果に基づいてエラーが無いものを選択することによって上記付加情報を再生するデータ再生方法。
　【請求項３１】　請求項２８において、
　上記複数種類の上記エラー検出符号化の何れが選択されているかによって上記付加情報を再生するデータ再生方法。
　【請求項３２】　請求項２８において、
　上記複数種類の上記エラー検出符号化のそれぞれの復号結果の組合せに基づいて上記付加情報を再生するデータ再生方法。
　【請求項３３】　所定のデータがエラー検出符号化されて記録され、複数種類の上記エラー検出符号化の生成多項式の中で付加情報にしたがって生成多項式が選択され、選択された生成多項式によって符号化されたデータが記録され、上記付加情報が
暗
　再生された上記所定のデータを上記複数種類の上記エラー検出符号化の内の１つによって復号化し、復号結果に基づいて、上記付加情報を再生するデータ再生装置。
　【請求項３４】　所定のデータがエラー検出符号化されて記録され、複数種類の上記エラー検出符号化の生成多項式の中で付加情報にしたがって生成多項式が選択され、選択された生成多項式によって符号化されたデータが記録され、上記付加情報が
暗
　再生された上記所定のデータを上記複数種類の上記エラー検出符号化によって復号化し、それぞれの復号結果に基づいて、上記付加情報を再生するデータ再生装置。
　【請求項３５】　所定のデータがエラー検出符号化されて記録され、複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、上記付加情報が
暗
　再生された上記所定のデータを上記複数種類の上記エラー訂正符号化の内の１つによって復号化し、復号結果に基づいて、上記付加情報を再生するデータ再生装置。
　【請求項３６】　所定のデータがエラー訂正符号化されて記録され、複数種類の上記エラー訂正符号化の原始多項式および／または生成多項式の中で付加情報にしたがって原始多項式および／または生成多項式が選択され、選択された原始多項式および／または生成多項式によって符号化されたデータが記録され、上記付加情報が
暗
　再生された上記所定のデータを上記複数種類の上記エラー訂正符号化によって復号化し、それぞれの復号結果に基づいてオリジナルかコピーかを判別し、上記付加情報を再生するデータ再生装置。
　【請求項３７】　所定のデータをエラー検出符号化して送信するデータ送信方法において、
　上記エラー検出符号化の生成多項式を複数種類有し、
　複数種類の上記エラー検出符号化の生成多項式の中で付加情報にしたがって生成多項式が選択され、選択された生成多項式によって符号化されたデータを送信し、
　上記付加情報が
暗
り、上記選択された生成多項式に基づいて復号され
　【請求項３８】　所定のデータをエラー訂正符号化して送信するデータ送信方法において、
　上記エラー訂正符号化の原始多項式および／または生成多項式を複数種類有し、
　複数種類の上記エラー訂正符号化の原始多項式および／または生成多項式の中で付加情報にしたがって原始多項式および／または生成多項式が選択され、選択された原始多項式／または生成多項式によって符号化されたデータを送信し、
　上記付加情報が
暗
り、上記選択原始多項式および／または生成多項式に基づいて復号され
　【請求項３９】　所定のデータがエラー検出符号化されて送信され、複数種類の上記エラー検出符号化の生成多項式の中で付加情報にしたがって生成多項式が選択され、選択された生成多項式によって符号化されたデータが送信され、上記付加情報が
暗
　受信された上記所定のデータを上記複数種類の上記エラー検出符号化の内の１つによって復号化し、復号結果に基づいて、上記付加情報を再生するデータ受信方法。
　【請求項４０】　所定のデータがエラー検出符号化されて送信され、複数種類の上記エラー検出符号化の生成多項式の中で付加情報にしたがって生成多項式が選択され、選択された生成多項式によって符号化されたデータが送信され、上記付加情報が
暗
　受信された上記所定のデータを上記複数種類の上記エラー検出符号化によって復号化し、それぞれの復号結果に基づいて、上記付加情報を再生するデータ受信方法。
　【請求項４１】　所定のデータがエラー訂正符号化されて送信され、複数種類の上記エラー訂正符号化の原始多項式および／または生成多項式の中で付加情報にしたがって原始多項式および／または生成多項式が選択され、選択された原始多項式／または生成多項式によって符号化されたデータが送信され、上記付加情報が
暗
　受信された上記所定のデータを上記複数種類の上記エラー訂正符号化の内の１つによって復号化し、復号結果に基づいて、上記付加情報を再生するデータ受信方法。
　【請求項４２】　所定のデータがエラー訂正符号化されて送信され、複数種類の上記エラー訂正符号化の原始多項式および／または生成多項式の中で付加情報にしたがって原始多項式および／または生成多項式が選択され、選択された原始多項式／または生成多項式によって符号化されたデータが送信され、上記付加情報が
暗
　受信された上記所定のデータを上記複数種類の上記エラー訂正符号化によって復号化し、それぞれの復号結果に基づいて、上記付加情報を再生するデータ受信方法。」
　とするものである。
　
　上記本件補正は、本件補正前の請求項と比較すると、独立請求項である【請求項１】【請求項２】【請求項９】【請求項１０】【請求項１９】〜【請求項２２】【請求項２７】【請求項２８】【請求項３３】〜【請求項４２】において、発明を特定するための事項である「付加情報」について、「オリジナルかコピーかの判別情報」との択一的な記載を削除すると共に、【請求項１】【請求項９】【請求項１９】【請求項３７】、及び【請求項２】【請求項１０】【請求項２０】【請求項３８】において、「情報」について、「り、上記選択された生成多項式に基づいて復号され」及び「り、上記選択された原始多項式および／または生成多項式に基づいて復号され」との要件を、また【請求項３６】において、「再生」について、「オリジナルかコピーかを判断し」との要件を、それぞれ付加するものであり、これらはいずれも平成１８年法律第５５号改正附則第３条第１項によりなお従前の例によるとされる同法による改正前の特許法第１７条の２第４項第２号に掲げる特許請求の範囲の減縮を目的とするものに該当する。
　
　そこで、本件補正の請求項２１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項で準用する同法第１２６条第５項の規定に適合するか）否かについて、以下検討する。
　　
２．引用例
　
　これに対し、原査定の拒絶の理由に引用された特開昭６３−１４０４６１号公報（昭和６３年６月１３日公開、以下「引用例」という。）には、図面と共に、以下の記載がある。（なお、下線は、当審で付与した。）
　
（１）「〔産業上の利用分野〕
　本発明は交換形の記録媒体に情報を記録する交換形媒体記録方式に関し、特に、その記録情報の不正使用を防止できるように改良した交換形媒体記録方式に関する。」（１頁左欄１６〜２０行）
　
（２）「〔実施例〕
　次に、本発明について図面を参照して説明する。
　第１図は本発明の一実施例のブロック図である。
１は通常のチェックコードを発生するＣＲＣ生成回路、２は特殊なチェックコードを生成するＣＲＣ−Ｄ生成回路、３は回路１および回路２で生成されたチェックコードを選択する選択回路、４は書き込みデータでＣＲＣ生成回路１およびＣＲＣ−Ｄ生成回路２に入力される。５は選択回路３を制御するチェックコード選択信号、６は選択回路３により選択されたチェックコードである
　第２図は本発明の一実施例におけるセクターフォーマット図である。ＩＤは記録情報の記録エリアの識別コードデータ、
データフィルドＦＤ（Data Field）は記録情報の記録エリア、ＣＲＣは識別コードデータのチェックコード、ＣＲＣ−Ｄは記録情報の特殊チェックコードである
　情報を記録する場合、識別コードデータＩＤにより記録エリアを識別し、
データフィールドＦＤに情報を書き込み、特殊チェックコードＣＲＣ−Ｄを付加するセクターと通常のチェックコードを付加するセクターとにより行う。通常のチェックコードとしてはフロッピィディスクの場合ＩＢＭフォーマット等で使用される生成多項式Ｆ（Ｘ）＝ｘ
１６
＋ｘ
１２
＋ｘ
５
＋１により生成したデータを使用し、特殊データコードとしては上記の生成多項式以外の生成多項式又は形式により生成したデータを使用する
　第１図に示すように、
書き込みデータ４を通常のチェックコードを生成するＣＲＣ生成回路と特殊チェックコードＣＲＣ−Ｄを生成するＣＲＣ−Ｄ生成回路２に入力し、チェックコード選択信号５により選択回路３を駆動し、通常のチェックコードと特殊チェックコードのいずれか一方を選択してチェックコードデータ６とする
　
このようにして情報を記録した交換形記録媒体を通常のチェックコードを生成するＣＲＣ生成回路を持つシステムにより読み出した場合、特殊チェックコードを付加したセクターでエラーが発生する。このエラーが発生するセクター位置を示す情報を、記録する情報に加えて書き込み、読み出し時にエラーが発生したセクター位置が記録情報内のエラーが発生するセクター位置を示す情報と一致した場合に正常に記録情報を読み出したことにする。この交換形記録媒体の情報を前記の通常のチェックコードを生成するＣＲＣ生成回路を持つシステムでコピーした場合、通常のチェックコードが付加されて書き込まれるため読み出した時にエラーが発生するセクター位置を示す情報で示されるセクター位置でエラーが発生しなくなる。このような場合記録情報が正常に読み出すことができなかったことにする
〔発明の効果〕
　以上説明したように本発明は、記録情報に特殊チェックコードを付加してセクターを含めた情報の記録をすることにより、
通常のシステムでは情報のコピーができなくなり、情報の不正使用の防止をすることができる効果がある
　
　ここで、上記摘示した実施形態における交換形記録媒体を読み出す動作は、交換形記録媒体を読み出す再生方法として捉えることができ、図面の記載とともに総合勘案すると、結局、引用例には、次の発明（以下「引用発明」という。）が記載されているものと認める。
　
「記録情報（書き込みデータ）に、記録情報を生成多項式Ｆ（Ｘ）＝ｘ１６＋ｘ１２＋ｘ５＋１により通常のチェックコードを生成するＣＲＣ生成回路と上記生成多項式以外の生成多項式により特殊チェックコードを生成するＣＲＣ−Ｄ生成回路とに入力し、チェックコード選択信号により、通常のチェックコードと特殊チェックコードのいずれか一方を選択したチェックコードデータを付加して記録した交換形記録媒体を読み出す再生方法において、
　記録された情報を通常のチェックコードを生成するＣＲＣ生成回路を持つシステムにより読み出した場合、記録情報に加えて書き込まれたエラーが発生するセクター位置を示す情報と読み出し時にエラーが発生したセクター位置とが一致した場合に記録情報を読み出す
　交換形記録媒体再生方法。」
　
３．対比
　
　そこで、本願補正発明と引用発明とを対比する。
　
（１）引用発明と本願補正発明の「生成多項式」は共通する。
　引用発明の「記録情報（書き込みデータ）」「交換形記録媒体」及び「読み出す（し）」は、それぞれ本願補正発明の「所定のデータ」「データ記録媒体」及び「再生」に相当する。
　引用発明は、チェックコードを生成するものであるから、本願補正発明の「所定のデータがエラー検出符号化」に相当する構成を備えている。
　引用発明は、「生成多項式Ｆ（Ｘ）＝ｘ１６＋ｘ１２＋ｘ５＋１により通常のチェックコードを生成するＣＲＣ生成回路と上記生成多項式以外の生成多項式により特殊チェックコードを生成するＣＲＣ−Ｄ生成回路とに入力し、チェックコード選択信号により、通常のチェックコードと特殊チェックコードのいずれか一方を選択」するものであり、一方の生成多項式が選択されていることは明らかであるから、本願補正発明の「複数種類の上記エラー検出符号化の生成多項式の中で」「生成多項式が選択され」に相当する構成を備えている。
　引用発明は、「選択したチェックコードデータを付加して記録」するものであるから、本願補正発明の「選択された生成多項式によって符号化されたデータが記録され」に相当する構成を備えている。
　そうすると、引用発明と本願補正発明とは、「所定のデータがエラー検出符号化されて記録され、複数種類の上記エラー検出符号化の生成多項式の中で」「生成多項式が選択され、選択された生成多項式によって符号化されたデータが記録され」「るデータ記録媒体」で共通する。
（２）引用発明は、「記録された情報を通常のチェックコードを生成するＣＲＣ生成回路を持つシステムにより読み出した場合、記録情報に加えて書き込まれたエラーが発生するセクター位置を示す情報と読み出し時にエラーが発生したセクター位置とが一致した場合に記録情報を読み出す」とするものであるから、本願補正発明の「再生された上記所定のデータを上記複数種類の上記エラー検出符号化の内の１つによって復号化し、復号結果に基づいて」「再生する」に相当する構成を備えている。
（３）引用発明の「交換形記録媒体再生方法」は、本願補正発明の「データ再生方法」に相当する。
　
　そうすると、本願発明と引用発明とは、次の点で一致する。
　
＜一致点＞
「所定のデータがエラー検出符号化されて記録され、複数種類のエラー検出符号化の生成多項式の中で生成多項式が選択され、選択された生成多項式によって符号化されたデータが記録されるデータ記録媒体を再生するデータ再生方法において、
　再生された所定のデータを複数種類の上記エラー検出符号化の内の１つによって復号化し、復号結果に基づいて、再生するデータ再生方法。」の点。
　
　そして、次の各点で相違する。
　
＜相違点＞
（ａ）「生成多項式」の選択について、本願補正発明は、「付加情報にしたがって」選択されるのに対し、引用発明は、チェックコード選択信号により選択される点。
　　
（ｂ）データ記録媒体を再生することについて、本願補正発明は、「付加情報が暗号鍵または暗号鍵の一部の情報、
または
　
（ｃ）本願補正発明は、復号結果に基づいて、「付加情報を再生する」のに対し、引用発明は、記録情報を読み出す点。
　　
４．判断
　
　そこで、上記各相違点について検討する。
　
相違点（ａ）について
　引用発明において、エラーが発生するセクター位置は特殊チェックコードが選択されたセクター位置であるから、「エラーが発生するセクター位置を示す情報」は、「チェックコード選択信号」に対応している。そして、「エラーが発生するセクター位置を示す情報」は、「エラーが発生するセクター位置」を示す「情報」であり、「付加情報」といえるから、生成多項式を「付加情報にしたがって選択され」るとする構成は実質的な相違点とは言えず、少なくとも当業者が容易に想到し得る程度のものである。
　
相違点（ｂ）について
　本願明細書の段落【００６３】には、「…付加情報は、例えば
ディスク
識別情報
　一方、引用例には、「読み出し時にエラーが発生したセクター位置が記録情報内のエラーが発生するセクター位置を示す情報と一致した場合に正常に記録情報を読み出したことにする。この交換形記録媒体の情報を前記の通常のチェックコードを生成するＣＲＣ生成回路を持つシステムでコピーした場合、通常のチェックコードが付加されて書き込まれるため読み出した時にエラーが発生するセクター位置を示す情報で示されるセクター位置でエラーが発生しなくなる。このような場合記録情報が正常に読み出すことができなかったことにする。」と記載され、引用発明の「エラーが発生するセクター位置を示す情報」とは、オリジナルかコピーかの識別情報ともいえる。そうすると、本願補正発明と引用発明とは、「オリジナルかコピーかの識別情報」を「ディスク識別情報」とする限りにおいては同一であるから、「付加情報が暗号鍵または暗号鍵の一部の情報、
または
　
　また、媒体固有情報（データ記録媒体の識別情報）を付加情報として記録することは周知（例えば、特開平９−１１５２４２号公報の【００４６】、特開平１１−７３７２５号公報の【００５５】等参照。）であるから、引用発明において、上記周知技術を参酌することにより、データ記録媒体の識別情報を付加情報とすることは当業者が適宜なし得るものでもある。
　
相違点（ｃ）について
　相違点（ａ）で検討したように、引用発明の「エラーが発生するセクター位置を示す情報」は、「付加情報」に相当しており、また、読み出し時、エラーが発生したセクター位置が読み出されるのであるから、引用発明において、「エラーが発生するセクター位置を示す情報」である「付加情報」を読み出す（再生）構成とすることは当業者が適宜なし得るものである。
　　　　
　そして、上記相違点を総合的に判断しても、本願補正発明が奏する効果は引用例、または引用例及び周知技術から、当業者が十分に予測できたものであって、格別なものとはいえない。
　
　したがって、本願補正発明は、引用例に記載された発明、または引用例に記載された発明及び周知技術に基づいて当業者が容易に発明をすることができたものであるから、特許法第２９条第２項の規定により、特許出願の際独立して特許を受けることができない。
　
５．本件補正についてのむすび
　
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　
１．本願発明
　
　平成１８年１０月３０日付けの手続補正は上記のとおり却下されたので、本願の請求項１乃至４２に係る発明は、平成１８年７月３１日付け手続補正書により補正された明細書の特許請求の範囲の請求項１乃至４２に記載された事項によって特定されるとおりのものであるところ、請求項２１に係る発明（以下「本願発明」という。）は、上記「第２［理由］１．」に本件補正前の請求項２１として記載したとおりである。
　
２．引用例及びその記載
　
　原査定の拒絶の理由に引用された引用例、及びその記載事項は、上記「第２［理由］２．」に記載したとおりである。
　
３．対比・判断
　
　本願発明は、上記「第２［理由］３．４．」で検討した本願補正発明に、付加情報について、「オリジナルかコピーかの判別情報」を択一的な構成として付加したものである。
　そうすると、本願発明の構成要件を全て含み、さらに択一的な構成を削除したものに相当する本願補正発明が、前記「第２［理由］３．４．」に記載したとおり、引用例に記載された発明、または引用例に記載された発明及び周知技術に基づいて当業者が容易に発明をすることができたものであるから、本願発明も同様の理由により、引用例に記載された発明、または引用例に記載された発明及び周知技術に基づいて当業者が容易に発明をすることができたものである。
　
４．むすび
　
　以上のとおりであるから、本願の請求項２１に係る発明は、特許法第２９条第２項の規定により特許を受けることができない。
　したがって、本願は、その余の請求項について論及するまでもなく拒絶すべきものである。
　よって、結論のとおり審決する。